【手続補正書】
【提出日】平成18年4月27日(2006.4.27)
【手続補正１】
【補正対象書類名】特許請求の範囲
【補正対象項目名】全文
【補正方法】変更
【補正の内容】
【特許請求の範囲】
【請求項１】
ユーザが入力した出発地及び目的地に基づいて地図情報を検索しユーザを出発地から目的地までナビゲートするナビゲーション装置において、
ユーザに関するルールと、該ルールに対応して該ルールの信頼度とを格納している格納手段と、
ユーザが入力した前記出発地、出発予定時刻、前記目的地、到着予定時刻に基づいて地図情報を参照して前記出発地から前記目的地までのルートを発見する発見手段と、
複数の立ち寄り地に関する立寄地情報、前記ルートに沿ってユーザが移動した場合のある未来の時刻、該時刻にユーザがいるべき位置、ユーザのプロファイルを入力し、これらを前記ルールに適用して、前記出発予定時刻から前記到着予定時刻までの複数の時刻でのユーザの状況に関する状況情報を算出する算出手段と、
前記状況情報に基づき追加される複数の立ち寄り地ごとに該立ち寄り地に立ち寄る以前にユーザが立ち寄る位置、又は該立ち寄る位置がない場合は前記出発地から該立ち寄り地までと、該立ち寄り地から前記目的地までの複数のルートを検索する検索手段と、
前記追加された立ち寄り地と前記検索された複数のルートの内、少なくとも１つのルートを示す行動プランを生成するプラン生成手段を具備することを特徴とするナビゲーション装置。
【請求項２】
前記格納手段は、時間帯ごとに前記信頼度を変更する信頼度変更手段を具備することを特徴とする請求項１に記載のナビゲーション装置。
【請求項３】
複数の立ち寄り地の特徴、及び各立ち寄り地の位置を前記立寄地情報として格納している立寄地格納手段と、
前記ある未来の時刻及び前記位置の情報を取得する取得手段と、
前記プロファイル及び前記ユーザに関するルールを入力するユーザ情報入力手段と、
前記出発地、前記出発時刻、前記目的地、及び前記到着時刻を入力する出発地目的地入力手段をさらに具備することを特徴とする請求項１又は請求項２に記載のナビゲーション装置。
【請求項４】
前記ユーザ情報入力手段及び前記出発地目的地入力手段は、ユーザから情報を入力するユーザインタフェース手段を含んでいること特徴とする請求項３に記載のナビゲーション装置。
【請求項５】
更に、前記行動プランをユーザが修正可能な形態で提示する提示手段と、
前記行動プランの修正に基づいて、前記信頼度を変化させる信頼度可変手段を具備することを特徴とする請求項１から請求項４のいずれか１項に記載のナビゲーション装置。
【請求項６】
前記提示手段は、ユーザから情報を入力するユーザインタフェース手段を含んでいること特徴とする請求項５に記載のナビゲーション装置。
【請求項７】
更に、前記状況情報に応じてどのような立ち寄り地及びルートを選択すべきかを示す選択ルールを格納しているルール格納手段を具備し、
前記検索手段は、前記状況情報を前記選択ルールに適用して、前記複数の立ち寄り地及び前記検索されたルートから、ユーザの状況情報に適合する立ち寄り地及びルートを検索することを特徴とする請求項１から請求項６のいずれか１項に記載のナビゲーション装置。
【請求項８】
前記ルール格納手段は、前記選択ルールに対応して該選択ルールの信頼度とを格納していることを特徴とする請求項７に記載のナビゲーション装置。
【請求項９】
前記ルール格納手段は、前記ルールに対応して該ルールの信頼度をさらに格納し、時間帯ごとに該信頼度を変更する変更手段を具備することを特徴とする請求項７に記載のナビゲーション装置。
【請求項１０】
ユーザが入力した出発地及び目的地に基づいて地図情報を検索しユーザを出発地から目的地までナビゲートするナビゲーション方法において、
ユーザに関するルールと、該ルールに対応して該ルールの信頼度とを格納し、
ユーザが入力した前記出発地、出発予定時刻、前記目的地、到着予定時刻に基づいて地図情報を参照して前記出発地から前記目的地までのルートを発見し、
複数の立ち寄り地に関する立寄地情報、前記ルートに沿ってユーザが移動した場合のある未来の時刻、該時刻にユーザがいるべき位置、ユーザのプロファイルを入力し、これらを前記ルールに適用して、前記出発予定時刻から前記到着予定時刻までの複数の時刻でのユーザの状況に関する状況情報を算出し、
前記状況情報に基づき追加される複数の立ち寄り地ごとに該立ち寄り地に立ち寄る以前にユーザが立ち寄る位置、又は該立ち寄った位置がない場合は前記出発地から該立ち寄り地までと、該立ち寄り地から前記目的地までの複数のルートを検索し、
前記追加された立ち寄り地と前記検索された複数の内、少なくとも１つのルートを示す行動プランを生成することを特徴とするナビゲーション方法。
【請求項１１】
ユーザが入力した出発地及び目的地に基づいてコンピュータが地図情報を検索しユーザを出発地から目的地までナビゲートするナビゲーションプログラムおいて、前記コンピュータに、
ユーザに関するルールと、該ルールに対応して該ルールの信頼度とを格納させ、
ユーザが入力した前記出発地、出発予定時刻、前記目的地、到着予定時刻に基づいて地図情報を参照させて前記出発地から前記目的地までのルートを発見させ、
複数の立ち寄り地に関する立寄地情報、前記ルートに沿ってユーザが移動した場合のある未来の時刻、該時刻にユーザがいるべき位置、ユーザのプロファイルを入力し、これらを前記ルールに適用して、前記出発予定時刻から前記到着予定時刻までの複数の時刻でのユーザの状況に関する状況情報を算出させ、
前記状況情報に基づき追加される複数の立ち寄り地ごとに該立ち寄り地に立ち寄る以前にユーザが立ち寄る位置、又は該立ち寄った位置がない場合は前記出発地から該立ち寄り地までと、該立ち寄り地から前記目的地までの複数のルートを検索させ、
前記追加された立ち寄り地と前記検索された複数の内、少なくとも１つのルートを示す行動プランを生成させることを特徴とするナビゲーションプログラム。
【手続補正２】
【補正対象書類名】明細書
【補正対象項目名】０００１
【補正方法】変更
【補正の内容】
【０００１】
本発明は、ユーザが行き先をナビゲートしてもらうナビゲーション装置及びナビゲーション方法であって、特に立ち寄り地の設定の手間を軽減するためのナビゲーション装置、ナビゲーション方法及びナビゲーションプログラムである。
【手続補正３】
【補正対象書類名】明細書
【補正対象項目名】０００４
【補正方法】変更
【補正の内容】
【０００４】
本発明は、上述した従来の問題を解決するために、ユーザに適合したきめ細やかな行動プランを自動的に生成するナビゲーション装置、ナビゲーション方法及びナビゲーションプログラムを提供することを目的とする。
【手続補正４】
【補正対象書類名】明細書
【補正対象項目名】０００５
【補正方法】変更
【補正の内容】
【０００５】
本発明のナビゲーション装置によれば、ユーザが入力した出発地及び目的地に基づいて地図情報を検索しユーザを出発地から目的地までナビゲートするナビゲーション装置において、ユーザに関するルールに対応してルールの信頼度を付与し信頼度付ルールを作成する作成手段と、ユーザが入力した前記出発地、出発予定時刻、前記目的地、到着予定時刻に基づいて地図情報を参照して前記出発地から前記目的地までのルートを発見する発見手段と、複数の立ち寄り地に関する立寄地情報、前記ルートに沿ってユーザが移動した場合のある未来の時刻、該時刻にユーザがいるべき位置、ユーザのプロファイルを入力し、これらを前記信頼度付ルールに適用して、前記出発予定時刻から前記到着予定時刻までの複数の時刻でのユーザの状況に関する状況情報を算出する算出手段と、前記ルートを複数のルートに分岐する形で前記状況情報に基づき追加される複数の立ち寄り地ごとに該立ち寄り地に立ち寄る以前にユーザが立ち寄る位置、又は該立ち寄る位置がない場合は前記出発地から該立ち寄り地までと、該立ち寄り地から前記目的地までの複数のルートを検索する検索手段と、前記追加された立ち寄り地と前記検索された複数のルートの内、少なくとも１つのルートを示す行動プランを生成するプラン生成手段を具備することを特徴とする。
【手続補正５】
【補正対象書類名】明細書
【補正対象項目名】０００６
【補正方法】変更
【補正の内容】
【０００６】
本発明のナビゲーション方法によれば、ユーザが入力した出発地及び目的地に基づいて地図情報を検索しユーザを出発地から目的地までナビゲートするナビゲーション方法において、ユーザに関するルールに対応してルールの信頼度を付与し信頼度付ルールを作成し、ユーザが入力した前記出発地、出発予定時刻、前記目的地、到着予定時刻に基づいて地図情報を参照して前記出発地から前記目的地までのルートを発見し、複数の立ち寄り地に関する立寄地情報、前記ルートに沿ってユーザが移動した場合のある未来の時刻、該時刻にユーザがいるべき位置、ユーザのプロファイルを入力し、これらを前記信頼度付ルールに適用して、前記出発予定時刻から前記到着予定時刻までの複数の時刻でのユーザの状況に関する状況情報を算出し、前記状況情報に基づき追加される複数の立ち寄り地ごとに該立ち寄り地に立ち寄る以前にユーザが立ち寄る位置、又は該立ち寄った位置がない場合は前記出発地から該立ち寄り地までと、該立ち寄り地から前記目的地までの複数のルートを検索し、前記追加された立ち寄り地と前記検索された複数の内、少なくとも１つのルートを示す行動プランを生成することを特徴とする。
【手続補正６】
【補正対象書類名】明細書
【補正対象項目名】０００７
【補正方法】変更
【補正の内容】
【０００７】
本発明のナビゲーションプログラムによれば、ユーザが入力した出発地及び目的地に基づいてコンピュータが地図情報を検索しユーザを出発地から目的地までナビゲートするナビゲーションプログラムおいて、前記コンピュータに、
ユーザに関するルールと、該ルールに対応して該ルールの信頼度とを格納させ、ユーザが入力した前記出発地、出発予定時刻、前記目的地、到着予定時刻に基づいて地図情報を参照させて前記出発地から前記目的地までのルートを発見させ、複数の立ち寄り地に関する立寄地情報、前記ルートに沿ってユーザが移動した場合のある未来の時刻、該時刻にユーザがいるべき位置、ユーザのプロファイルを入力し、これらを前記ルールに適用して、前記出発予定時刻から前記到着予定時刻までの複数の時刻でのユーザの状況に関する状況情報を算出させ、前記状況情報に基づき追加される複数の立ち寄り地ごとに該立ち寄り地に立ち寄る以前にユーザが立ち寄る位置、又は該立ち寄った位置がない場合は前記出発地から該立ち寄り地までと、該立ち寄り地から前記目的地までの複数のルートを検索させ、前記追加された立ち寄り地と前記検索された複数の内、少なくとも１つのルートを示す行動プランを生成させることを特徴とする。
【手続補正７】
【補正対象書類名】明細書
【補正対象項目名】０００８
【補正方法】変更
【補正の内容】
【０００８】
本発明のナビゲーション装置、ナビゲーション方法及びナビゲーションプログラムによれば、ユーザに適合したきめ細やかな行動プランを自動的に生成することが可能になる。